(57)【要約】【課題】犬がトイレを使用する度に、自動的に犬用トイレシートが交換でき、長時間、又は、長期間に渡って無人で使用できる衛生的な犬用トイレを得る。【解決手段】犬用トイレシート２をロール状に巻回したシートロール３と、該シートロール３と離間して設けられ、且つ、該犬用トイレシート２を巻回する巻回ローラ４と、該巻回ローラ４を巻回させるモータ５と、犬Ｄを検知する犬検知センサ６と、該犬検知センサ６の検知により始動するタイマー７と、前記犬用トイレシート２が所定長巻回されたことを検知するシート検知手段８と、前記シートロール３、前記巻回ローラ４、前記モータ５、前記犬検知センサ６、前記タイマー７及び前記シート検知手段８を取り付ける台９とを備えた犬用トイレ１を提供する。【選択図】  図１
2004242512.tif 000002
【特許請求の範囲】
【請求項１】
犬用トイレシートをロール状に巻回したシートロールと、該シートロールと離間して設けられ、且つ、該犬用トイレシートを巻回する巻回ローラと、該巻回ローラを巻回させるモータと、犬を検知する犬検知センサと、該犬検知センサの検知により始動するタイマーと、前記犬用トイレシートが所定長巻回されたことを検知するシート検知手段と、前記シートロール、前記巻回ローラ、前記モータ、前記犬検知センサ、前記タイマー及び前記シート検知手段を取り付ける台とを備えたことを特徴とする犬用トイレ。
【請求項２】
上記巻回ローラは上記犬用トイレシートの上面を内側に巻き込むように回転するように構成されていることを特徴とする請求項１記載の犬用トイレ。
【請求項３】
上記シート検知手段は、上記犬用トイレシートの移動に伴い回転する第１プーリと、該第１プーリと離間して設けられる第２プーリと、該第１プーリと該第２プーリに巻回するベルトと、該ベルトに固着された被検知物と、該被検知物を検知するシート検知センサとを備え、該犬用トイレシートが搬送された時、該犬用トイレシートの移動に伴い前記第１プーリが回転し、該第１プーリの回転によって前記ベルトと共に前記被検知物が回転し、該被検知物が所定位置に移動した時、前記シート検知センサが該被検知物を検知し、前記犬用トイレシートが所定長さ搬送されたことを検知するように構成されたことを特徴とする請求項１又は２記載の犬用トイレ。
【請求項４】
上記モータと、上記タイマーと、上記犬検知センサと、上記シート検知センサとはＣＰＵ（中央演算装置）に接続されていることを特徴とする請求項１，２又は３記載の犬用トイレ。
【請求項５】
上記巻回ローラは筐体内に収納され、該筐体内には消臭手段及び／又は殺菌手段が設けられていることを特徴とする請求項１，２，３又は４記載の犬用トイレ。
【発明の詳細な説明】
【０００１】
【発明の属する技術分野】
この発明は、犬用トイレに関するものであり、特に、犬用トイレシートをロール状に巻回したシートロールを備え、犬のトイレ使用後に該犬用トイレシートを自動的に所定長さ巻回するように構成した犬用トイレに関するものである。
【０００２】
【従来の技術および発明が解決しようとする課題】
従来の此種犬用トイレとして、ペットシーツを用いた犬用トイレが知られており、該ペットシーツがそのまま犬用トイレとして用いられることもあり、或いは、犬が出入りできる低い側壁を備えた上方開放の筐体内に該ペットシーツを敷設するように構成された犬用トイレも知られている。
【０００３】
又、低い側壁部を備えた上方開放の箱状体内に、ペットシーツを敷設すると共に、端部を互いに結合自在の複数枚の板状体を結合してＬ字状又はコ字状に組み立て、Ｌ字状又はコ字状に組み立てた該板状体を前記箱状体内に立設状に載置する組み立て式犬用トイレも知られており（特許文献１参照）、該組み立て式犬用トイレは犬の排尿時に前記板状体によって汚物の飛散を防止できると共に、該板状体を組み立て自在としたことにより、ペットシーツの取替え、該犬用トイレの清掃、及び、該犬用トイレのサイズ変更等も容易に行えるようにしたものである。
【０００４】
然しながら、前述の犬用トイレは何れも、犬が該犬用トイレを使用する度にペットシーツを取替えるものであり、その取替え作業が極めて煩雑である。
【０００５】
又、室内犬等の飼い主が長時間、又は、長期間、家を留守にする場合、その時間、又は、期間はペットシーツの取替えが困難であり、犬がそのペットシーツを何回も使用したり、或いは、汚物が長時間、又は、長期間放置されることにより、不衛生、不潔になる問題がある。
【０００６】
そこで、犬がトイレを使用する度に、自動的に犬用トイレシートが交換でき、長時間、又は、長期間に渡って無人で使用できる衛生的な犬用トイレを得るために解決すべき技術的課題が生じてくるのであり、本発明はこの課題を解決することを目的とする。
【０００７】
【特許文献１】
特開２００２−３２０４２３号公報  （第１−５頁、第１−７図）
【０００８】
【課題を解決するための手段】
本発明は上記目的を達成するために提案されたものであり、犬用トイレシートをロール状に巻回したシートロールと、該シートロールと離間して設けられ、且つ、該犬用トイレシートを巻回する巻回ローラと、該巻回ローラを巻回させるモータと、犬を検知する犬検知センサと、該犬検知センサの検知により始動するタイマーと、前記犬用トイレシートが所定長巻回されたことを検知するシート検知手段と、前記シートロール、前記巻回ローラ、前記モータ、前記犬検知センサ、前記タイマー及び前記シート検知手段を取り付ける台とを備えた犬用トイレ、
及び、上記巻回ローラは上記犬用トイレシートの上面を内側に巻き込むように回転するように構成されている犬用トイレ、
及び、上記シート検知手段は、上記犬用トイレシートの移動に伴い回転する第１プーリと、該第１プーリと離間して設けられる第２プーリと、該第１プーリと該第２プーリに巻回するベルトと、該ベルトに固着された被検知物と、該被検知物を検知するシート検知センサとを備え、該犬用トイレシートが搬送された時、該犬用トイレシートの移動に伴い前記第１プーリが回転し、該第１プーリの回転によって前記ベルトと共に前記被検知物が回転し、該被検知物が所定位置に移動した時、前記シート検知センサが該被検知物を検知し、前記犬用トイレシートが所定長さ搬送されたことを検知するように構成された犬用トイレ、
及び、上記モータと、上記タイマーと、上記犬検知センサと、上記シート検知センサとはＣＰＵ（中央演算装置）に接続されている犬用トイレ、
並びに、上記巻回ローラは筐体内に収納され、該筐体内には消臭手段及び／又は殺菌手段が設けられている犬用トイレを提供するものである。
【０００９】
【発明の実施の形態】
以下、本発明の一実施の形態を図１乃至図６に従って詳述する。図１，２に於て、１は犬用トイレであり、該犬用トイレ１は、犬用トイレシート２をロール状に巻回したシートロール３と、該シートロール３と離間して設けられ、且つ、該犬用トイレシート３を巻回する巻回ローラ４と、該巻回ローラ４を巻回させるモータ５と、犬Ｄを検知する犬検知センサ６と、該犬検知センサ６の検知により始動するタイマー７と、前記犬用トイレシート３が所定長巻回されたことを検知するシート検知手段８と、前記シートロール３、前記巻回ローラ４、前記モータ５、前記犬検知センサ６、前記タイマー７及び前記シート検知手段８を取り付ける台９とを備えている。
【００１０】
そして、該台９は、板状の本体部１０の前後両側部に犬の通行に障害にならない程度に低く形成された側壁１１，１２が立設され、該本体部１０の左端には前記シートロール３を内装するための第１の筐体１３が形成され、該筐体１３は該筐体１３の上部に開閉自在の蓋体１４を備え、且つ、該筐体１３の右下端部は前後方向に切欠されて前記犬用トイレシート２が引き出せるように構成されている。
【００１１】
一方、前記本体部１０の右端には前記巻回ローラ４、前記モータ５、前記犬検知センサ６、前記タイマー７、後述するＣＰＵ（図示せず）、及び、前記シート検知手段８の一部を内装するための第２の筐体１５が形成される。そして、該筐体１５は前記巻回ローラ４を他の部品と区画する区画壁１５ａが形成されると共に、該筐体１５の上部に開閉自在の蓋体１６を備え、且つ、該筐体１５の左下端部及び前記区画壁１５ａ下端部は前後方向に切欠されて前記犬用トイレシート２が引き込めるように構成されている。
【００１２】
又、前記巻回ローラ４が収納された区画室内には消臭・殺菌手段１７が設けられ、該巻回ローラ４に巻き込んだ犬の汚物を消臭・殺菌するように構成されている。尚、殺菌手段を必要としない場合は、消臭手段のみを設けても良い。
【００１３】
更に、前記犬用トイレシート２は市販のペットシーツ（図示せず）と略同様の吸水層及び漏水防止層等が積層された長尺のシートであり、該犬用トイレシート２は前記ペットシーツをつなぎ合わせたものでも良く、然る時も、略同様の効果を得ることができる。
【００１４】
更に又、前記巻回ローラ４と前記モータ５の夫々前方の軸端４ａ，５ａは前記第２の筐体１５を貫通して外方に突出しており、突出した該軸端４ａ，５ａにプーリ１８，１９が夫々取り付けられ、該プーリ１８，１９間にはベルト２０が巻回されている。
【００１５】
そして、前記犬検知センサ６は、前記第２の筐体１５の左側壁に取り付けられ、赤外線等により犬の存在を検知するように構成されている。
【００１６】
尚、図に於て、Ｓは前記モータ５、前記犬検知センサ６、前記タイマー７、前記シート検知センサ及び前記ＣＰＵへの通電を入切するスイッチである。
【００１７】
又、図３に示す如く、前記シート検知手段８は前記犬用トイレシート２の移動に伴い転動されるローラ２１を介して回転する第１プーリ２２と、該第１プーリ２２と離間して設けられる第２プーリ２３と、該第１プーリ２２と該第２プーリ２３に巻回するベルト２４と、該ベルト２４に固着された金属性の被検知物２５と、該被検知物２５を検知するシート検知センサ２６とを備えている。
【００１８】
そして、該犬用トイレシート２が搬送された時、該犬用トイレシート２の移動に伴い前記ローラ２１が転動すると共に、前記第１プーリ２２が回転し、該第１プーリ２２の回転によって前記ベルト２４と共に前記被検知物２５が移動し、該被検知物２５が所定位置に移動した時、前記シート検知センサ２６が該被検知物２５を検知し、前記犬用トイレシート２が所定長さ搬送されたことを検知するように構成されている。
【００１９】
又、図４に示す如く、前記モータ５と、前記犬検知センサ６と、前記タイマー７と、前記シート検知センサ２６とは前記ＣＰＵ（中央演算装置）２７に接続され、該ＣＰＵ２７は、前記犬検知センサ６の検知信号によって前記タイマー７を作動させ、該タイマー７の信号によって該モータ５を作動させ、該シート検知センサ２６の信号によって該モータ５を停止させるように構成されている。
【００２０】
而して、図１、図４及び図５に示す如く、前記スイッチＳをＯＮにした状態で、犬Ｄが犬用トイレ１に入ると（ステップＳ１）、前記犬検知センサ６が犬Ｄの存在を検知して（ステップＳ２）前記ＣＰＵ２７に発信し、該ＣＰＵ２７の指令によって、前記タイマー７が始動する（ステップＳ３）。
【００２１】
そして、その間に犬Ｄが排泄を済ませトイレから出るが（ステップＳ４）、該タイマー７が犬の排泄時間を予測して計算した所定時間経過後に前記ＣＰＵ２７に信号を発信すると（ステップＳ５）、該ＣＰＵ２７の指令に基づき前記モータ５が駆動し（ステップＳ６）、該モータ５の駆動により前記ベルト２０を介して前記巻回ローラ４が回転して（ステップＳ７）、排泄された汚物を載置した前記犬用トイレシート２を搬送し、該巻回ローラ４が該犬用トイレシート２の上面を内側に巻き込むように該犬用トイレシート２を巻回する。
【００２２】
この時、該犬用トイレシート２の搬送に伴い前記ローラ２１が転動し、該ローラ２１の転動による前記第１プーリ２２の回転により前記ベルト２４も回転し、前記シート検知センサ２６が該ベルト２４上の前記被検知物２５を検知して（ステップＳ８）、該犬用トイレシート２が所定長さ巻回されたことを検知すると、該シート検知センサ２６の信号が前記ＣＰＵ２７に伝達され、該ＣＰＵ２７の指令により、前記モータ５が停止し（ステップＳ９）、前記巻回ローラ４も停止する（ステップＳ１０）。そして、前述した工程は犬が犬用トイレ１に入る毎に繰り返される。
【００２３】
更に、前記犬用トイレシート２を汚物と共に巻き込んだ前記巻回ローラ４を取り外す時は、前記蓋体１６を開いて該巻回ローラ４を取り出せばよく、又、前記シートロール３をセットする時は、前記筐体１３の蓋体１４を開いてセットすれば良い。
【００２４】
斯くして、前記犬用トイレ１は犬Ｄの排泄に応じて前記犬用トイレシート２を巻き込み、同時に新しい犬用トイレシート２を展張して犬用トイレシート２を交換することができ、無人で、長時間、又は、長期間用に用いる犬のトイレとして最適なものであり、且つ、衛生的で清潔であり、清掃作業も不要となる利点がある。
【００２５】
又、前記巻回ローラ４は前記犬用トイレシート２の上面を内側に巻き込むように構成されているので、犬Ｄが排泄した汚物を該犬用トイレシート２内に巻き込むことができ、汚物を能率良く、且つ、衛生的に処理できると共に、汚物の悪臭発生を防止できる。
【００２６】
更に、前記シート検知手段８によって、前記犬用トイレシート２が所定長さ搬送されたことを検知することができ、これによって前記犬用トイレシート２所定長さの移動が容易に行える。
【００２７】
図６は前記図５に示したフローチャートに於て、犬検知センサ６が犬を検知する（ステップＳ２）、タイマー７が始動する（ステップＳ３）、犬がトイレから出る（ステップＳ４）とした一部のフローに代えて、犬がトイレから出る（ステップＳ１１）、犬検知センサ６が犬を検知する（ステップＳ１２）、タイマー７が始動する（ステップＳ１３）としたものであり、即ち、犬Ｄがトイレに入った時に前記犬検知センサ６が信号を発信する構成に代えて、犬Ｄがトイレから出た時に該犬検知センサ６が信号を発信するように構成したものである。然る時も、前記図５のフローチャートと略同様の効果を得ることができる。
【００２８】
尚、前記犬用トイレ１に於て、前記タイマー７に代えて、前記ＣＰＵ２７にタイマーの機能を持たせることも可能であり、然る時も同様な効果が期待できる。
【００２９】
又、前記ＣＰＵ２７に代えて、リレー（図示せず）等を用いることも可能であり、然る時も同様な効果が期待できる。
【００３０】
更に、前記モータ５が駆動した時に、犬Ｄがまだ前記犬用トイレ１内にいた場合等、該モータ５に所定以上の負荷がかかった時は、該モータ５の駆動を停止させる構造にしても良く、然る時は、犬Ｄの安全が確保できると共に、犬用トイレシート２の破損等を防止することができる。
【００３１】
更に又、前記犬用トイレ１は、前記スイッチＳをＯＦＦにした状態で、手動にて前記巻回ローラ４を回転させることも可能である。そして、その場合は該巻回ローラ４を回転させるハンドル等を取り付けるとその操作が容易となる。
【００３２】
尚、本発明は、本発明の精神を逸脱しない限り種々の改変を為すことができ、そして、本発明が該改変されたものに及ぶことは当然である。
【００３３】
【発明の効果】
本発明は上記一実施の形態に詳述したように、請求項１記載の発明は、犬用トイレシートをロール状に巻回したシートロールと、巻回ローラと、モータと、犬検知センサと、タイマーと、シート検知手段と、前記シートロール、巻回ローラ、モータ、犬検知センサ、タイマー及びシート検知手段を取り付ける台とを備えた犬用トイレであるので、該犬用トイレは犬の排泄に応じて前記犬用トイレシートを巻き込み、同時に新しい犬用トイレシートを展張して犬用トイレシートを交換することができ、無人で、長時間、又は、長期間用に用いる犬のトイレとして最適なものであり、且つ、衛生的で清潔であり、清掃作業も不要となる利点がある。
【００３４】
又、請求項２記載の発明は、上記巻回ローラは上記犬用トイレシートの上面を内側に巻き込むように回転するように構成されているので、請求項１記載の発明の効果に加え、犬が排泄した汚物を前記犬用トイレシート内に巻き込むことができ、汚物を能率良く、且つ、衛生的に処理できると共に、汚物の悪臭発生を防止できる。
【００３５】
更に、請求項３記載の発明は、上記シート検知手段は、上記犬用トイレシートの移動に伴い回転する第１プーリと、該第１プーリと離間して設けられる第２プーリと、該第１プーリと該第２プーリに巻回するベルトと、該ベルトに固着された被検知物と、該被検知物を検知するシート検知センサとを備えているので、請求項１又は２記載の発明の効果に加え、前記犬用トイレシートが所定長さ搬送されたことを検知することができ、これによって前記犬用トイレシート所定長さの搬送が容易に行える。
【００３６】
更に又、請求項４記載の発明は、上記モータと、上記タイマーと、上記犬検知センサと、上記シート検知センサとはＣＰＵに接続されているので、請求項１，２又は３記載発明の効果に加え、前記ＣＰＵによって前記タイマー及び前記モータを効率的に制御できる。
【００３７】
そして、請求項５記載の発明は、上記巻回ローラは筐体内に収納され、該筐体内には消臭手段及び／又は殺菌手段が設けられているので、請求項１，２，３又は４記載の発明の効果に加え、該消臭手段及び／又は殺菌手段によって前記巻回ローラ近傍の消臭及び／又は殺菌が行える等、正に著大なる効果を奏する発明である。
【図面の簡単な説明】
【図１】本発明の一実施の形態を示し、犬用トイレの使用状態を示す斜視図。
【図２】本発明の一実施の形態を示し、犬用トイレの蓋体を開いた状態を示す斜視図。
【図３】本発明の一実施の形態を示し、犬用トイレのシート検知手段を説明する斜視図。
【図４】本発明の一実施の形態を示し、犬用トイレの制御回路図。
【図５】本発明の一実施の形態を示し、犬用トイレの作動フローチャート図。
【図６】本発明の他の実施の形態を示し、犬用トイレの作動フローチャート図。
【符号の説明】
１          犬用トイレ
２          犬用トイレシート
３          シートロール
４          巻回ローラ
５          モ−タ
６          犬検知センサ
７          タイマー
８          シート検知手段
９          台
１３，１５    筐体
１７          消臭・殺菌手段
２２          第１プーリ
２３          第２プーリ
２４          ベルト
２５          被検知物
２６          シート検知センサ
２７          ＣＰＵ
Ｄ          犬
【図１】
2004242512.tif 000003
【図２】
2004242512.tif 000004
【図３】
2004242512.tif 000005
【図４】
2004242512.tif 000006
【図５】
2004242512.tif 000007
【図６】
2004242512.tif 000008